(57)【特許請求の範囲】
【請求項１】
それぞれ１枚以上のレンズにより構成され、第１群保持枠に保持される第１群光学系、第２群保持枠に保持される第２群光学系および第３群保持枠に保持される第３群光学系を具備し、これら第１群光学系、第２群光学系および第３群光学系の各々を、所定の移動特性をもって光軸に沿って移動させる変倍可能な光学系を有するズームレンズ鏡胴において、
前記第２群保持枠は、物体側に中空に延びる第１の円筒形状部分と、像面側に中空に延びる第２の円筒形状部分とを有し、
第１群保持枠の外周面は、前記第２群保持枠の前記第１の円筒形状部分の内周面に同軸的に嵌合しており、
前記ズームレンズ鏡胴を固定保持する固定枠の内周面と前記第２群保持枠の前記第２の円筒形状部分の外周面とが同軸的に嵌合された状態で、前記固定枠に形成された直進キー溝と前記第２群保持枠に設けられた直進キーとの係合により、前記第２群保持枠の回転を阻止するようにし、
回転カムに形成された第１群カムと前記第２群保持枠の前記第１の円筒形状部分に形成された直進規制スリットに前記第１群保持枠に設けられた第１群カムピンが係合することにより、前記第１群保持枠の回転を阻止し、かつ光軸に沿って移動するようにし、
前記回転カムに形成された前記第１群カムおよび第２群カムと、前記第１群保持枠に設けられた前記第１群カムピンおよび前記第２群保持枠に設けられた第２群カムフォロワとがそれぞれ係合した状態で回転カムが回転することにより、前記第１群保持枠および前記第２群保持枠の光軸に沿った移動を規定するように構成したことを特徴とするズームレンズ鏡胴。
【請求項２】
前記第２群保持枠の前記第１の円筒形状部分の内部に前記第１群保持枠が保持されていることを特徴とする請求項１に記載のズームレンズ鏡胴。
【請求項３】
前記回転カムは、前記第１群カムピンと係合し、駆動部により回転駆動されることを特徴とする請求項１に記載のズームレンズ鏡胴。
【請求項４】
前記固定枠の内部に前記第２群保持枠が嵌合された状態で、前記直進キー溝と前記直進キーとの係合により、前記第２群保持枠の回転を阻止し、かつ、前記第２群保持枠が光軸に沿って移動することを特徴とする請求項１〜請求項３のうちのいずれか１項に記載のズームレンズ鏡胴。
【請求項５】
前記第１群光学系と前記第２群光学系の移動を単一の共通アクチュエータによって生ぜしめることを特徴とする請求項１〜請求項４のうちのいずれか１項に記載のズームレンズ鏡胴。
【請求項６】
前記第２群保持枠に物体側から嵌合固定されるシャッタユニットをさらに具備することを特徴とする請求項１〜請求項５のうちのいずれか１項に記載のズームレンズ鏡胴。
【発明の詳細な説明】
【０００１】
【発明の属する技術分野】
本発明は、変倍機能を有するカメラ、つまり在来の、いわゆる銀塩カメラおよびディジタルカメラ等、の撮像装置における撮影像の変倍機能付き撮影光学系であるズームレンズの鏡胴に係り、特に沈胴式鏡胴として好適で且つ光学系の変倍操作機構を改善し得るズームレンズ鏡胴に関するものである。
【０００２】
【従来の技術】
従来の一般的なズームレンズの沈胴式鏡胴の一例の構成を図５に示している。図５における上半部が短焦点広角側、つまりワイド（ＷＩＤＥ）側にズームレンズを設定したワイド状態の縦断面図を示し、図５における下半部がズームレンズを沈胴収納した収納状態の縦断面図を示している。
図５に示すズームレンズ鏡胴は、第１群レンズ２１、第２群レンズ２２、第１群保持枠２３、第２群保持枠２４、第３群レンズ２５、第３群保持枠２６、シャッタユニット２７、第１群カムピン２８、回転カム２９、固定枠３０、回転カムピン３４、および直進筒４０を備えている。
第１群レンズ２１は、変倍を行なうための１枚以上のレンズからなる第１群光学系であり、第２群レンズ２２も１枚以上のレンズから構成されて、第１群レンズ２１とほぼ同様の機能に寄与する第２群光学系である。第１群保持枠２３は、第１群レンズ２１を一体的に保持し、第２群保持枠２４は、第２群レンズ２２を一体的に保持する。第３群レンズ２５は、焦点調節を行なうための１枚以上のレンズからなる第３群光学系であり、第３群保持枠２６は、第３群レンズ２５を一体的に保持する。
【０００３】
シャッタユニット２７は、第２群保持枠２４に保持される。なお、第２群保持枠２４は、物体側すなわち被写体側に中空に延びる円筒形状部分を有し、その円筒形状部分の内部にシャッタユニット２７が格納保持されている。
第１群保持枠２３は、例えば３本の第１群カムピン２８を有しており、第２群保持枠２４は、例えば３箇所に第２群カムピン２４−Ａを有している。第１群カムピン２８および第２群カムピン２４−Ａは、それぞれ、回転カム２９の内周面に設けられたカム溝からなる第１群カム２９ａおよび第２群カム２９ｂに嵌合している。
また、回転カム２９と第１群保持枠２３および第２群保持枠２４との間には直進筒４０が介挿配置される。直進筒４０には、第１群カムピン２８が挿通される直進規制スリット４０ａ、および第２群保持枠２４の凸部２４ｂが挿入係合される直進規制スリット４０ｂが設けられており、第１群カムピン２８および第２群保持枠２４の凸部２４ｂが、それぞれ直進規制スリット４０ａおよび４０ｂに、嵌合している。したがって、第１群保持枠２３および第２群保持枠２４は、直進筒４０に対して回転不能に規制されている。
【０００４】
回転カム２９の外側には、固定枠３０が配置されている。直進筒４０には、基端、つまり非物体側端部、のフランジ部の最外周部に２箇所または３箇所の直進キー４０ｃが突設されており、該直進キー４０ｃが固定枠３０の内周面に設けられた直進キー溝３０ａに嵌合している。これら直進キー４０ｃと直進キー溝３０ａとの作用により、直進筒４０は固定枠３０に対して回転せずに直進運動をするように規制されている。
したがって、固定枠３０、直進筒４０、第２群保持枠２４および第１群保持枠２３は、上述した各直進規制により、回転動作が不可能となり、直線動作のみが可能となっている。
回転カム２９には、外周面に突出させて、例えば３本の回転カムピン３４が取着され、固定枠３０の内周面に形成された回転カム溝３０ａに係合している。回転カム２９は、基端、つまり非物体側端部、の外周部の一部にギヤが形成されており、図示していない駆動源からの駆動力が該ギヤを介して回転カム２９に伝達されて、回転カム２９が回転することとなる。直進筒４０は、回転カム２９に対して回転可能として一体的に設けられているので、光軸に沿う方向については、回転カム２９と共に移動する。
【０００５】
【発明が解決しようとする課題】
上述した構成においては、第１群保持枠２３または第２群保持枠２４から当該鏡胴の最外周の固定枠３０に至るまでの間に、第１群保持枠２３または第２群保持枠２４、直進筒４０、回転カム２９、および固定枠３０との４層の円筒部材が必要となる。したがって、このような鏡胴を小径化するためには、最内周においてレンズを保持する第１群保持枠２３または第２群保持枠２４から最外周の固定枠３０までの間の部材数を低減することが必須である。
また、特開平８−４３９０１号公報には、固定筒、回転筒に相当する外筒、内筒、およびキー部材を用いる沈胴式鏡胴において、後群レンズのカム枠となる移動部材を内筒に格納することにより、外筒の全長を短くする技術が示されている。この場合、外筒の全長は短くなるものの、固定筒から後群レンズ枠に至るまでの部材は、固定筒、外筒、内筒、キー部材、移動部材、および後群レンズ枠となる。
【０００６】
このように、特開平８−４３９０１号公報の内容によると、固定筒から後群レンズ枠に至るまでは、固定筒、外筒（回転筒）、内筒、キー部材、移動部材、および後群レンズ枠となり、６個の円筒部材が必要になる。このため、鏡胴の外筒の全長は短くなるが、それにともなって鏡胴外径が大きくなってしまうという問題がある。
本発明は、上述した事情に鑑みてなされたもので、鏡胴に含まれる各群のレンズ等の光学系の同軸精度を保ちつつ、レンズ保持枠の直進規制を行うためにのみ用いられる筒枠を不要として、部品の節減化による低コスト化と併せて鏡胴の小径化による小型化を効果的に実現し得るズームレンズ鏡胴を提供することを目的としている。
【０００７】
本発明の請求項１の目的は、特に、鏡胴に含まれる各群のレンズ等の光学系の同軸精度を保ちつつ、小径化による小型化、部品の節減化による低コスト化を効果的に実現し得るズームレンズ鏡胴を提供することにある。
本発明の請求項２の目的は、特に、第１群保持枠と第２群保持枠との同軸性を確保し得るズームレンズ鏡胴を提供することにある。
本発明の請求項３の目的は、特に、駆動部の回転駆動により、第１群保持枠を光軸に沿って移動し得るズームレンズ鏡胴を提供することにある。
本発明の請求項４の目的は、特に、第２群保持枠の直進規制を行うためにのみ用いられる筒枠を不要として、鏡胴を小径化することを可能とするズームレンズ鏡胴を提供することにある。
【０００８】
本発明の請求項５の目的は、特に、部品の節減化による低コスト化を可能とするズームレンズ鏡胴を提供することにある。
本発明の請求項６の目的は、特に、シャッタユニットを第２群光学系を保持する第２群保持枠に固定させ、シャッタユニット移動用のカムを省略することを可能として、さらに小型化を実現し得るズームレンズ鏡胴を提供することにある。
【０００９】
【課題を解決するための手段】
請求項１に記載した本発明に係るズームレンズ鏡胴は、上述した目的を達成するために、それぞれ１枚以上のレンズにより構成され、第１群保持枠に保持される第１群光学系、第２群保持枠に保持される第２群光学系および第３群保持枠に保持される第３群光学系を具備し、これら第１群光学系、第２群光学系および第３群光学系の各々を、所定の移動特性をもって光軸に沿って移動させる変倍可能な光学系を有するズームレンズ鏡胴において、
前記第２群保持枠は、物体側に中空に延びる第１の円筒形状部分と、像面側に中空に延びる第２の円筒形状部分とを有し、
第１群保持枠の外周面は、前記第２群保持枠の前記第１の円筒形状部分の内周面に同軸的に嵌合しており、
前記ズームレンズ鏡胴を固定保持する固定枠の内周面と前記第２群保持枠の前記第２の円筒形状部分の外周面とが同軸的に嵌合された状態で、前記固定枠に形成された直進キー溝と前記第２群保持枠に設けられた直進キーとの係合により、前記第２群保持枠の回転を阻止するようにし、
回転カムに形成された第１群カムと前記第２群保持枠の前記第１の円筒形状部分に形成された直進規制スリットに前記第１群保持枠に設けられた第１群カムピンが係合することにより、前記第１群保持枠の回転を阻止し、かつ光軸に沿って移動するようにし、
前記回転カムに形成された前記第１群カムおよび第２群カムと、前記第１群保持枠に設けられた前記第１群カムピンおよび前記第２群保持枠に設けられた第２群カムフォロワとがそれぞれ係合した状態で回転カムが回転することにより、前記第１群保持枠および前記第２群保持枠の光軸に沿った移動を規定するように構成したことを特徴としている。
【００１０】
請求項２に記載した本発明に係るズームレンズ鏡胴は、前記第２群保持枠の前記第１の円筒形状部分の内部に前記第１群保持枠が嵌合されていることを特徴としている。
請求項３に記載した本発明に係るズームレンズ鏡胴は、前記回転カムが、前記第１群カムピンと係合し、駆動部により回転駆動されることを特徴としている。
請求項４に記載した本発明に係るズームレンズ鏡胴は、前記固定枠の内部に前記第２群保持枠が嵌合された状態で、前記直進キー溝と前記直進キーとの係合により、前記第２群保持枠の回転を阻止し、かつ、前記第２群保持枠が光軸に沿って移動することを特徴としている。
請求項５に記載した本発明に係るズームレンズ鏡胴は、前記第１群光学系と前記第２群光学系の移動を単一の共通アクチュエータによって生ぜしめることを特徴としている。
【００１１】
請求項６に記載した本発明に係るズームレンズ鏡胴は、前記第２群保持枠に物体側から嵌合固定されるシャッタユニットをさらに具備することを特徴としている。
【００１２】
【作用】
すなわち、本発明に係るズームレンズ鏡胴は、それぞれ１枚以上のレンズにより構成され、第１群保持枠に保持される第１群光学系、第２群保持枠に保持される第２群光学系および第３群保持枠に保持される第３群光学系を具備し、これら第１群光学系、第２群光学系および第３群光学系の各々を、所定の移動特性をもって光軸に沿って移動させる変倍可能な光学系を有するズームレンズ鏡胴において、
前記第２群保持枠は、物体側に中空に延びる第１の円筒形状部分と、像面側に中空に延びる第２の円筒形状部分とを有し、
第１群保持枠の外周面は、前記第２群保持枠の前記第１の円筒形状部分の内周面に同軸的に嵌合しており、
前記ズームレンズ鏡胴を固定保持する固定枠の内周面と前記第２群保持枠の前記第２の円筒形状部分の外周面とが同軸的に嵌合された状態で、前記固定枠に形成された直進キー溝と前記第２群保持枠に設けられた直進キーとの係合により、前記第２群保持枠の回転を阻止するようにし、
回転カムに形成された第１群カムと前記第２群保持枠の前記第１の円筒形状部分に形成された直進規制スリットに前記第１群保持枠に設けられた第１群カムピンが係合することにより、前記第１群保持枠の回転を阻止し、かつ光軸に沿って移動するようにし、
前記回転カムに形成された前記第１群カムおよび第２群カムと、前記第１群保持枠に設けられた前記第１群カムピンおよび前記第２群保持枠に設けられた第２群カムフォロワとがそれぞれ係合した状態で回転カムが回転することにより、前記第１群保持枠および前記第２群保持枠の光軸に沿った移動を規定するように構成している。
このような構成により、鏡胴に含まれる各群のレンズ等の光学系の同軸精度を保ちつつ、鏡胴の小径化による小型化および部品の節減化による低コスト化を効果的に実現し、特に、第１群光学系を保持する第１群保持枠および第２群光学系を保持する第２群保持枠の直進規制を行う枠を不要として、鏡胴を効果的に小径化することを可能とする。
【００１３】
また、本発明に係るズームレンズ鏡胴は、前記第２群保持枠の前記第１の円筒形状部分の内部に、前記第１群保持枠が保持されている。
このような構成により、第１群枠と第２群枠との同軸性を確保する。
また、本発明に係るズームレンズ鏡胴は、
前記回転カムが前記第１群カムピンと係合し、駆動部により回転駆動されるように構成している。
【００１４】
本発明に係るズームレンズ鏡胴は、前記固定枠の内部に前記第２群保持枠が嵌合された状態で、前記直進キー溝と前記直進キーとの係合により、前記第２群保持枠の回転を阻止し、かつ、前記第２群保持枠が光軸に沿って移動し得るようにする。
このような構成により、特に、第２群保持枠の直進規制を行うためにのみ用いられる筒枠を不要として、鏡胴を小径化することを可能とする。
本発明に係るズームレンズ鏡胴は、前記第１群光学系と前記第２群光学系の移動を単一の共通アクチュエータによって生ぜしめる。
このような構成により、特に、部品の節減化による低コスト化を図る。
【００１５】
本発明に係るズームレンズ鏡胴は、前記第２群保持枠に物体側から嵌合固定されるシャッタユニットをさらに具備する。
このような構成により、特に、シャッタユニットを第２群光学系を保持する第２群保持枠に固定させ、シャッタユニット移動用のカムを省略することを可能として、さらに小型化を実現し得るズームレンズ鏡胴を提供することにある。
【００１７】
【発明の実施の形態】
以下、本発明の実施の形態に基づき、図面を参照して本発明のズームレンズ鏡胴を詳細に説明する。
図１〜図３は、本発明の一つの実施の形態に係る撮像装置の一種であるカメラのズームレンズ鏡胴の構成を示している。図１は、沈胴式のズームレンズ鏡胴の構成を示す収納状態における縦断面図、図２は、図１のズームレンズ鏡胴を広角短焦点側端部近傍にズーミングしたワイド（ＷＩＤＥ）側状態における縦断面図、そして図３は、図１のズームレンズ鏡胴を望遠長焦点側端部近傍にズーミングしたテレ（ＴＥＬＥ）側状態における縦断面図である。
図１〜図３に示すズームレンズ鏡胴は、第１群レンズ１、第２群レンズ２、第１群保持枠３、第２群保持枠４、第３群レンズ５、第３群保持枠６、シャッタユニット７、第１群カムピン８、回転カム９、固定枠１０、光学的ローパスフィルタ（ＯＬＰＦ）１１、ＣＣＤ（電荷結合素子）撮像素子１２、固定ベース１３、および回転カムピン１４を具備している。
【００１８】
第１群レンズ１は、変倍を行なうための１枚以上のレンズからなる第１群光学系であり、第２群レンズ２も、１枚以上のレンズから構成されて、第１群レンズ１とほぼ同様の機能を呈する第２群光学系である。第１群保持枠３は、第１群レンズ１を一体的に保持し、第２群保持枠４は、第２群レンズ２を一体的に保持する。第３群レンズ５は、焦点調節を行なうための１枚以上のレンズからなる第３群光学系であり、第３群保持枠６は、第３群レンズ５を一体的に保持する。シャッタユニット７は、第２群保持枠４に保持される。第２群保持枠４は、物体側すなわち被写体側に中空に延びる円筒形状部分（「第１の円筒形状部分」と称する）を有し、その円筒形状部分の内部に第１群保持枠３およびシャッタユニット７が格納保持されている。また、第１群保持枠３の外周面は、第２群保持枠４の前記円筒形状部分の内周面に嵌合しており、これら第１群保持枠３と第２群保持枠４との同軸性を確保する構成となっている。
【００１９】
第１群保持枠３は、例えば３本の第１群カムピン８（図には１本しか示されていない）を有し、そして第２群保持枠４には、前記円筒形状部分の外周面に断面がほぼ台形状の突起として形成された第２群カムフォロワ４ａが、例えば３箇所設けられている（図２および図３参照）。第１群カムピン８および第２群カムフォロワ４ａは、それぞれ回転カム９の内周面に設けられた第１群カム９ａおよび第２群カム９ｂに係合している。
第２群保持枠４の前記円筒形状部分には、第１群カムピン８が挿通されるスリット状の直進規制スリット４ｂが形成されており、この直進規制スリット４ｂには第１群カムピン８が嵌合している。このことによって、第１群保持枠３は、第２群保持枠４に対して回転不可能となる。また、回転カム９の外周側には固定枠１０が配設されている。
【００２０】
また、第２群保持枠４には、基端、つまり非物体側端部、のフランジ部の最外周部に２箇所または３箇所の直進キー４ｃが突設されており、該直進キー４ｃは、固定枠１０の内周面に光軸方向に沿って設けられた直進キー溝１０ａに係合している。これらの規制により、第２群保持枠４は、固定枠１０に対して回転不可能となっている。固定枠１０は、カメラ本体側の固定ベース１３に取着固定され、該固定ベース１３は、光学的ローパスフィルタ１１およびＣＣＤ撮像素子１２を取着保持している。したがって、固定枠１０、第２群保持枠４、および第１群保持枠３は、上述した各直進規制機構により、回転が阻止され、それぞれの回転動作は不可能となっている。
回転カム９には、例えば３本の回転カムピン１４を外周面に突出するように植設し、これら回転カムピン１４は、固定枠１０の内周面に設けられた回転カム溝１０ｂに係合する。また、回転カム９は、基端、つまり非物体側端部、の外周部には、ギヤ部９ｃが突出させて設けられており、図示していないモータ等の駆動源からの駆動力が、固定枠１０に枢支された伝達ギヤ１０ｃを介してギヤ部９ｃに伝達され、回転カム９が回転駆動される。
【００２１】
次に、このように構成されたズームレンズ鏡胴の動作について具体的に説明する。
前記駆動源（図示されていない）からの駆動力が図２に示すように、固定枠１０の伝達ギヤ１０ｃを介して回転カム９のギヤ部９ｃに伝達され、回転カム９が回転駆動される。回転カム９が回転すると、回転カム９に取着された回転カムピン１４と固定枠１０の内周面に設けられている回転カム溝１０ｂとの作用により、回転カム９は、光軸方向に沿って移動する。
また、第２群保持枠４は、固定枠１０と直進キー４ｃにより回転が阻止されているため、回転カム９が回転すると、図２に示すように、回転カム９の内周面の第２群カム９ｂと第２群保持枠４の第２群カムフォロワ４ａとの作用により、第２群保持枠４は、回転することなく、光軸方向に沿って移動する。その第２群保持枠４の移動量は、回転カム９による移動量と第２群カム９ｂによる移動量の合成移動量となる。
【００２２】
第１群保持枠３は、第１群カムピン８および直進規制スリット４ｂによる第２群保持枠４との間の直進規制によって回転が阻止されている。そのため、回転カム９が回転すると、回転カム９の内周面の第１群カム９ａと第１群カムピン８との作用によって、第１群保持枠３は、回転動作することなく、光軸方向に沿って移動する。そのときの移動量は、回転カム９の光軸方向移動量と第１群カム９ａによる移動量との合成移動量となる。また、第３群保持枠６は、図示していない駆動方法によって、第１群保持枠３および第２群保持枠４とは独立に制御され、必要に応じて、当該ズームレンズ鏡胴の収納状態への収納動作、およびフォーカシング動作などを行なう。また、第１群保持枠３の外周面は、第２群保持枠４の内周面に嵌合しており、第１群レンズ１と第２群レンズ２との間の同軸精度は保証される。さらに、第２群保持枠４の結像面側に、固定枠１０の内周面に嵌合する短寸円筒形状部分（「第２の円筒形状部分」と称する）の突出部４ｄを設けることにより、固定ベース１３と固定枠１０を介して独立している第３群保持枠６の同軸性をも保証することが可能となる。なお、図１〜図３には、カメラの前面カバー１５も示されていて、これらの図から各状態における突出量をも把握することができる。
【００２３】
図４にこの実施の形態によるズームレンズ鏡胴におけるレンズ移動曲線を示している。
すなわち、まず、ワイド状態からテレ状態へ移行する際には、第１群レンズ１は、一旦漸次後退され、テレ状態近傍においてわずかながら再度繰り出される。このとき、第２群レンズ２は、ワイド状態からテレ状態に向かっていわゆる単調増加にて漸次繰り出される。第３群レンズ５は、例えば無限遠位置にピントを合わせた場合には、ワイド状態からテレ状態にかけて同一の位置に留まるが、有限距離の被写体にピントを合わせる場合には、物体（被写体）側に繰り出すことになる。また、例えばワイド状態から収納状態へ移行する場合には、第１群レンズ１、第２群レンズ２、および第３群レンズ５が共に繰り戻される。
また、光学的ローパスフィルタ１１は、固定されており、一定の位置のまま維持される。
【００２４】
したがって、第１群カム９ａおよび第２群カム９ｂのカム形状は、上述した図４における第１群レンズ１および第２群レンズ２の移動量から、回転カム９の移動量を差し引いた移動に相当するカム形状とすればよい。
なお、本発明のズームレンズ鏡胴は、それぞれ１枚以上のレンズにより構成される第１群光学系、第２群光学系および第３群光学系を具備し、これら第１群光学系、第２群光学系および第３群光学系の各々を一体的に且つこれら第１群光学系、第２群光学系および第３群光学系をそれぞれ所定の移動特性をもって移動させる変倍可能な光学系を有するズームレンズ鏡胴であって、前記第１群光学系と前記第２群光学系の移動を単一の共通アクチュエータによって生ぜしめるとともに、前記第２群光学系を保持する第２群保持枠が、前記第１群光学系を保持する第１群保持枠の直進規制を兼ねる構成としてもよい。
このようにすると、特に、第１群光学系を保持する第１群保持枠および第２群光学系を保持する第２群保持枠の直進規制を行う枠が不要となり、鏡胴を効果的に小径化することが可能となる。
【００２５】
また、本発明のズームレンズ鏡胴は、前記第２群保持枠に物体側から嵌合固定されるシャッタユニットをさらに設けてもよい。このような構成により、特に、シャッタユニットを第２群光学系を保持する第２群保持枠に固定させることによって、シャッタユニット移動用のカムを省略することが可能となる。さらに、本発明のズームレンズ鏡胴は、前記第１群保持枠の第１群カムフォロワピンを前記第１群保持枠とは別体に構成し、前記第１群保持枠を物体側から前記第２群保持枠に嵌挿して前記第１群保持枠の外周部を前記第２群保持枠の内周部に嵌合させた状態で、即ち嵌合させた後に、前記第１群保持枠に前記第１群カムフォロワピンを植設固定するようにしてもよい。このような構成により、特に、第２群光学系を保持する第２群保持枠の内周に第１群保持枠の外周を嵌合させ、第２群光学系に対し第１群光学系の同軸精度を良好に維持することができることとなる。
【００２６】
そして、本発明のズームレンズ鏡胴は、前記第２群保持枠が、当該鏡胴を固定保持する固定枠の内周部と前記第２群保持枠の外周部との相互間に形成される凹凸嵌合により直進規制されるようにしてもよい。
このような構成により、特に、第２群保持枠の直進規制を行うためにのみ用いられる筒枠が不要となり、鏡胴を小径化することが可能となる。
また、本発明のズームレンズ鏡胴は、前記第２群保持枠には、当該鏡胴を固定保持する固定枠の内周部と同軸的に嵌合する部位を含んでいてもよい。
このような構成により、特に、固定枠に対し第２群光学系の同軸性を高精度に保つことができ、固定枠を介して独立している第３群光学系と第２群光学系の同軸精度を保つことが可能となる。
【００２７】
したがって、本発明によるズームレンズ鏡胴は、１枚以上のレンズにより構成される第１群光学系、前記第１群光学系を一体的に保持し且つ単一の共通アクチュエータによって移動される第１群保持枠、１枚以上のレンズにより構成される第２群光学系、前記第２群光学系を一体的に保持し且つ前記単一の共通アクチュエータによって移動されるとともに、前記第１群保持枠の直進規制を兼ね、その内周部に前記第１群保持枠の外周部を嵌合し、その外周部と当該鏡胴を固定保持する固定枠の内周部との相互間の凹凸嵌合により直進規制され、少なくとも部分的に前記固定枠の内周部と同軸的に嵌合する第２群保持枠、１枚以上のレンズにより構成される第３群光学系、前記第２群保持枠に物体側から嵌合固定されるシャッタユニット、および前記第１群保持枠とは別体に構成され、前記第１群保持枠を物体側から前記第２群保持枠に嵌挿して前記第１群保持枠の外周部を前記第２群保持枠の内周部に嵌合させた状態で、前記第１群保持枠に植設固定される第１群カムフォロワピンを具備する構成としてもよい。
【００２８】
このような構成により、特に、第１群光学系を保持する第１群保持枠および第２群光学系を保持する第２群保持枠の直進規制を行う枠が不要となり、シャッタユニットを第２群光学系を保持する第２群保持枠に固定させ、シャッタユニット移動用のカムを省略することが可能となり、第２群光学系を保持する第２群保持枠の内周に第１群保持枠の外周を嵌合させ、第２群光学系に対し第１群光学系の同軸精度を良好に維持することが可能で、第２群保持枠の直進規制を行うためにのみ用いられる筒枠を不要として、固定枠に対し第２群光学系の同軸性を高精度に保つことができ、固定枠を介して独立している第３群光学系と第２群光学系の同軸精度を保つことが可能となる。また、上述のように構成されたズームレンズ鏡胴を銀塩カメラやデジタルカメラ、テレビジョンカメラ、等の撮像装置に装着することにより、鏡胴に含まれる各群のレンズの光学系の同軸精度を保ちつつ、小径化による小型化と部材節減による低コスト化を実現し得るズームレンズ鏡胴を備えた撮像装置を提供することができる。
【００２９】
以上述べたように、本発明によれば、鏡胴に含まれる各群のレンズ等の光学系の同軸精度を保ちつつ、小径化による小型化、部品の節減化による低コスト化を効果的に実現し得るズームレンズ鏡胴を提供することができる。
すなわち、本発明の請求項１のズームレンズ鏡胴によれば、それぞれ１枚以上のレンズにより構成され、第１群保持枠に保持される第１群光学系、第２群保持枠に保持される第２群光学系および第３群保持枠に保持される第３群光学系を具備し、これら第１群光学系、第２群光学系および第３群光学系の各々を、所定の移動特性をもって光軸に沿って移動させる変倍可能な光学系を有するズームレンズ鏡胴において、
前記第２群保持枠は、物体側に中空に延びる第１の円筒形状部分と、像面側に中空に延びる第２の円筒形状部分とを有し、
第１群保持枠の外周面は、前記第２群保持枠の前記第１の円筒形状部分の内周面に同軸的に嵌合しており、
前記ズームレンズ鏡胴を固定保持する固定枠の内周面と前記第２群保持枠の前記第２の円筒形状部分の外周面とが同軸的に嵌合された状態で、前記固定枠に形成された直進キー溝と前記第２群保持枠に設けられた直進キーとの係合により、前記第２群保持枠の回転を阻止するようにし、
回転カムに形成された第１群カムと前記第２群保持枠の前記第１の円筒形状部分に形成された直進規制スリットに前記第１群保持枠に設けられた第１群カムピンが係合することにより、前記第１群保持枠の回転を阻止し、かつ光軸に沿って移動するようにし、
前記回転カムに形成された前記第１群カムおよび第２群カムと、前記第１群保持枠に設けられた前記第１群カムピンおよび前記第２群保持枠に設けられた第２群カムフォロワとがそれぞれ係合した状態で回転カムが回転することにより、前記第１群保持枠および前記第２群保持枠の光軸に沿った移動を規定するように構成したことにより、鏡胴に含まれる各群のレンズ等の光学系の同軸精度を保ちつつ、レンズ保持枠の直進規制を行うためにのみ用いられる筒枠を不要として、部品の節減化による低コスト化と併せて鏡胴の小径化による小型化に実現し得るズームレンズ鏡胴を提供することができる。
【００３０】
また、本発明の請求項２のズームレンズ鏡胴によれば、前記第２群保持枠の前記第１の円筒形状部分の内部に前記第１群保持枠が保持されていることにより、
特に、第１群保持枠と第２群保持枠との同軸性を確保することができる。
本発明の請求項３のズームレンズ鏡胴によれば、前記回転カムは、前記第１群カムピンと係合し、駆動部により回転駆動されるように構成したので、特に、駆動部の回転駆動により第１群保持枠を光軸に沿って、同軸的に移動させることができる。
【００３１】
本発明の請求項４のズームレンズ鏡胴によれば、前記固定枠の内部に前記第２群保持枠が嵌合された状態で、前記直進キー溝と前記直進キーとの係合により、前記第２群保持枠の回転を阻止し、かつ、前記第２群保持枠が光軸に沿って移動し得るように構成したので、前記第２群保持枠が、当該鏡胴を固定保持する固定枠により直進規制されることが可能となる。
本発明の請求項５のズームレンズ鏡胴によれば、前記第１群光学系と前記第２群光学系の移動を単一の共通アクチュエータによって生ぜしめるように構成したので、部品の節減化による低コスト化を実現することができる。
【００３２】
本発明の請求項６のズームレンズ鏡胴によれば、前記第２群保持枠に物体側から嵌合固定されるシャッタユニットをさらに具備することにより、シャッタユニットを第２群光学系を保持する第２群保持枠に固定させ、シャッタユニット移動用のカムを省略することが可能となり、さらに小型化が実現される。
【図面の簡単な説明】
【図１】本発明の一つの実施の形態に係るカメラのズームレンズ鏡胴の収納状態における要部の構成を模式的に示す縦断面図である。
【図２】図１のズームレンズ鏡胴のワイド状態における要部の構成を模式的に示す縦断面図である。
【図３】図１のズームレンズ鏡胴のテレ状態における要部の構成を模式的に示す縦断面図である。
【図４】図１のズームレンズ鏡胴のレンズ移動曲線を模式的に示す図である。
【図５】従来のズームレンズ鏡胴の一例におけるワイド状態および収納状態の要部の構成を模式的に示す縦断面図である。
【符号の説明】
１  第１群レンズ
２  第２群レンズ
３  第１群保持枠
４  第２群保持枠
４ａ  第２群カムフォロワ
４ｂ  直進規制スリット
４ｃ  直進キー
４ｄ  突出部
５  第３群レンズ
６  第３群保持枠
７  シャッタユニット
８  第１群カムピン
９  回転カム
９ａ  第１群カム
９ｂ  第２群カム
９ｃ  ギヤ部
１０ａ直進キー溝
１０ｂ  回転カム溝
１０ｃ  伝達ギヤ
１０  固定枠
１１  光学的ローパスフィルタ（ＯＬＰＦ）
１２  ＣＣＤ（電荷結合素子）撮像素子
１３  固定ベース
１４  回転カムピン
【図１】
0004181784.tif 000002
【図２】
0004181784.tif 000003
【図３】
0004181784.tif 000004
【図４】
0004181784.tif 000005
【図５】
0004181784.tif 000006